(57)【要約】      （修正有）【課題】割れたときに、隣接する材料と接合するための樹脂を放出する複数の露出可能なマイクロカプセルを有する剥離層を含む複合材から形成された接合面を提供すること。【解決手段】接合面２０は、少なくとも１つの層１４と複合構造体１２の外面に対して硬化された剥離層１８とを有する複合構造体１２から形成され、剥離層１８は、それぞれが接合材料を充填された複数のマイクロカプセルを含み、複合構造体１２の外面からの剥離層１８を取り外したときに、マイクロカプセルが割れ、樹脂を放出して、接合用の未硬化表面を形成する。【選択図】図３
2014100913.tif 000002
【特許請求の範囲】
【請求項１】
少なくとも１つの層（１４）を備え、外面（３６）を有する複合構造体（１２）と、
前記外面（３６）に対して硬化された剥離層（１８）と、
それぞれが接合材料を充填された複数のマイクロカプセル（２２）と
を備える複合材接合システム。
【請求項２】
前記複数のマイクロカプセル（２２）は、前記外面（３６）から前記剥離層（１８）を取り外したときに前記複数のマイクロカプセル（２２）のうちの少なくとも一部が割れて前記接合材料を放出し、接合のための未硬化表面が形成されるように構成されている、請求項１に記載の複合材接合システム。
【請求項３】
前記接合材料は樹脂（２４）である、請求項１または２に記載の複合材接合システム。
【請求項４】
前記複数のマイクロカプセル（２２）は前記外面（３６）と前記剥離層（１８）と間の界面近傍に配置されている、請求項１ないし３のいずれか一項に記載の複合材接合システム。
【請求項５】
前記複数のマイクロカプセル（２２）は前記剥離層（１８）内に分散している、請求項１ないし４のいずれか一項に記載の複合材接合システム。
【請求項６】
前記複数のマイクロカプセル（２２）のそれぞれは、前記接合材料を閉じ込める外壁を備える、請求項１ないし５のいずれか一項に記載の複合材接合システム。
【請求項７】
前記複数のマイクロカプセル（２２）は重合剤をさらに備える、請求項６に記載の複合材接合システム。
【請求項８】
前記複数のマイクロカプセル（２２）の前記外壁は、前記接合材料を強化する材料をさらに備える、請求項６に記載の複合材接合システム。
【請求項９】
前記接合材料は流動可能な重合性樹脂を備える、請求項１ないし８のいずれか一項に記載の複合材接合システム。
【請求項１０】
二次構造体（２６）は前記未硬化表面に対して共硬化される、請求項２に記載の複合材接合システム。
【請求項１１】
前記未硬化表面は接着剤の層をさらに備える、請求項１０に記載の複合材接合システム。
【請求項１２】
接合面を形成する方法であって、
少なくとも１つの層（１４）と剥離層（１８）とを備える複合構造体（１２）を組み立てるステップであり、前記剥離層（１８）が、それぞれが樹脂（２４）を充填された複数のマイクロカプセル（２２）を備える、ステップと、
前記複合構造体（１２）を硬化するステップと、
前記複合構造体（１２）から前記剥離層（１８）を取り外し、前記複数のマイクロカプセル（２２）のうちの少なくとも一部を割って前記樹脂（２４）を放出することにより、接合用の未硬化表面を形成するステップと
を含む方法。
【請求項１３】
前記未硬化表面に二次構造体（２６）を結合するステップと、
前記複合構造体（１２）および前記二次構造体（２６）を共に硬化させて結合構造体を形成するステップと
をさらに備える請求項１２に記載の方法。
【発明の詳細な説明】
【技術分野】
【０００１】
本開示は、概して複合材接合に関し、詳細には、割れたときに、隣接する材料と接合するための樹脂を放出する複数の露出可能なマイクロカプセルを有する剥離層を含む複合材から形成された接合面および接合方法に関する。
【背景技術】
【０００２】
既存の硬化複合材に対する未硬化の二次材料の接合は、典型的には、大きな集合体、および後に互いに接合可能な比較的厚いおよび／または薄い個別の複合材部品を必要とする。この接合方法は、標準の検出方法を使用して強度および耐久性を確認することが困難であり得る弱い二次接合を提供する可能性がある。このような二次接合において再発する問題は、二次結合が完全に積層されていないことがあり、または弱い結合であり得ること、および合成された構造が機械的な疲労、衝撃または老化のために機能しないまたは劣化する傾向にあり得ることである。この問題は、航空宇宙産業において用いられる複合材料が幅広い用途で使用されるために大きな関心がもたれている。現在の解決手段は、結合を確実にするための特定の時間制御および付加的な接着剤を必要とする場合がある、多段階硬化工程または二次的に結合された集合体に加えて、乾式剥離層を使用して手による研削で粗化表面を形成することを含む。
【発明の概要】
【発明が解決しようとする課題】
【０００３】
したがって、複合材接合の分野において、当業者は、硬化複合構造体に対する未硬化材料の接合を改善する研究開発努力を継続している。
【課題を解決するための手段】
【０００４】
一実施形態において、開示された複合材接合システムは、少なくとも１つの層と複合構造体の外面に硬化された剥離層とを有する複合構造体を含むことができ、剥離層は、それぞれが接合材料（例えば樹脂）を充填された複数のマイクロカプセルを含み、複合構造体の外面から剥離層を取り外すとき、マイクロカプセルが割れ、接合材料を放出して接合用の未硬化表面を形成する。
【０００５】
別の実施形態において、開示される複合材接合システムは、少なくとも１つの層と複合構造体の外面に硬化された剥離層とを有する複合構造体を含むことができ、複合構造体は、外面下に複数のマイクロカプセルを含み、各マイクロカプセルは樹脂を充填されており、複合構造体の外面から剥離層を取り外すとき、マイクロカプセルが割れて樹脂を放出し、接合用の未硬化表面を形成する。
【０００６】
別の実施形態において、開示された複合材接合システムは、マトリックスに埋め込まれた複数の強化繊維と、それぞれが樹脂を充填された複数のマイクロカプセルとを含む少なくとも１つの層を有する複合構造体を含むことができ、複合構造体の外面の作製のとき、マイクロカプセルが割れ、樹脂を放出して接合用の未硬化表面を形成する。
【０００７】
さらに別の実施形態において、（１）少なくとも１つの層と剥離層とを有する複合構造体を組み立てるステップであり、剥離層が、それぞれが樹脂を充填された複数のマイクロカプセルを含有する、ステップと、（２）複合構造体から剥離層を取り外すステップと、（３）複数のマイクロカプセルを割り、樹脂を放出し、接合のための未硬化表面を形成するステップとを備える、接合面を形成する方法が開示される。
【０００８】
開示された複合材接合システムおよび方法の他の態様は、以下の詳細な説明、付随する図面および添付された特許請求の範囲から明らかになるであろう。
【図面の簡単な説明】
【０００９】
【図１】開示された接合面の一実施形態の複合構造体の断面図である。
【図２】開示された接合面の別の実施形態の複合構造体の断面図である。
【図３】取り外されている剥離層を図示する、図２の複合構造体の側面図である。
【図４】開示された接合面の剥離層の拡大断面図である。
【図５】図３に図示された１つのマイクロカプセルの拡大断面図である。
【図６】剥離層を取り外した後の多樹脂作用面を図示する、図２の複合構造体の側面図である。
【図７】樹脂で被覆された作用面に貼り付けられた二次構造体を有する、図２の複合構造体の側面図である。
【図８】開示された接合面の別の実施形態の複合構造体の断面図である。
【図９】開示された接合面の別の実施形態のポリマー構造体の断面図である。
【発明を実施するための形態】
【００１０】
以下の詳細な説明は、本開示の特定の実施形態を例示する添付図面を参照する。異なる構造および動作を有する他の実施形態は、本開示の範囲から外れるものではない。類似の参照数字は、異なる図面における同一の要素または構成部品を表すことも可能である。
【００１１】
図１および図２に示すように、概して１０で示された自己接合複合材は、構成要素材料から構成される複合構造体１２を含むことができる。複合構造体１２は、単一の層１４（図１）から形成することができ、または複数の層１４を積み重ねた集合体によって形成された積層体（図２）であってもよい。各層１４は、マトリックス内に埋め込まれた複数の強化繊維１６を有する複合材料とすることもできる。１つの代替形態として、層１４は繊維１６ではなく、テープ（または他の強化材料）を含むことができる。別の代替形態として、層１４は、強化繊維１６および強化テープ（または他の強化材料）の両方を含む混成物であってもよい。
【００１２】
例えば、単一の層１４は、単一の方向に配向された（すなわち、一方向性の）繊維１６または２つの方向に配向された（すなわち、双方向性の；例えば織布）繊維１６を含むことができる。図１に示すように、明確に図示するために、単一の層１４の繊維１６は、単一の方向に示されている。さらに、図２に示すように、図示しやすいように、積み重ねられた複合構造体１２の複数の層１４のそれぞれの繊維１６は、単一方向に示されている。しかしながら、実際には、繊維の方向は、複合構造体１２に所望の機械的性質を付与するために複数の層１４の積み重ね間で可変であり得ることは、当業者に理解可能である。積み重ねられた複合構造体１２は、積み重ね順に積まれて硬化された多数の層１４を有することができる。
【００１３】
繊維１６は、一部の長さに沿って、平行に（単一／長手方向に、０°）、周囲に（二軸に、９０°）もしくはらせん形に（傾いて、±３３°〜４５°）、またはランダムな連続的な糸と共に、延在することができる。糸も可変であり、全方向に同等の強度をもった実質的に等方性の積層体を生成することができる。例えば、図２に図示された複合構造体１２は、４つの層（または薄膜）１４Ａ、１４Ｂ、１４Ｃ、１４Ｄを有する積層体とすることができる。第１の層１４Ａは、長手方向に配向された繊維１６を有することができる。第２の層１４Ｂは、第１の層１４Ａに対して４５°に配向された繊維１６を有することができる。第３の層１４Ｃは、第１の層１４Ａに対して９０°に配向された繊維１６を有することができる。第４の層１４Ｄは、第１の層１４Ａに対して４５°に配向された繊維１６を有することができる。この対称的な補強材は複合構造体に一般的であるが、他の非対称的な配向も使用可能であることは、当業者に理解可能である。
【００１４】
複合構造体１２は、湿式積層、スプレーアップ、圧縮、射出、レジントランスファ、真空注入、または同様の方法を含む、適当ないずれかの製造技法を使用して形成することができる。あるいは、各層１４は、樹脂を予め含浸されている強化繊維の既製モールドシート、すなわちプリプレグ、とすることもできる。
【００１５】
図３から図５に示すように、剥離層１８は、複合構造体１２の少なくとも１つの表面に適用することができる。剥離層１８は、織布３０、および複合構造体１２の作用面２０に塗布かつ硬化される樹脂媒体３２の形態にすることができる。当業者であれば、編まれた、フェルト状にされた、またはマット状にされた織布等のいずれかの適当な種類の織布が利用可能であることを理解することができる。剥離層１８は、研磨またはグリットブラスティングの必要性を排除することができ、取り外されたときに作用面２０上に残留繊維をほとんどまたはまったく残さないようにすることができる。
【００１６】
剥離層１８は、織布３０および樹脂媒体３２内に埋め込まれた複数のマイクロカプセル２２を含有することができる。中空マイクロスフィア、マイクロバブル、またはマイクロバルーンとも称される各マイクロカプセル２２は、樹脂２４または他の流動可能な重合性接合材料を閉じ込めるために作製された固体壁３４を有する小体とすることができる。本明細書に使用されているような「樹脂」は、樹脂であるかどうかにかかわりなく、幅広く、いずれかの適当な接合材料のことを指す。剥離層１８の重合マトリックスにおいては、マイクロカプセル２２が均一に分散するまたは本質的に均一に分散することが通常好ましいが、すべての適用に必要であるとは限らないことがある。マイクロカプセル２２は、数百マイクロメートル以下の幅広い直径範囲で作製することができる。様々な大きさのマイクロカプセル２２は、同一適用において使用することができる。一定複数のマイクロカプセル２２の外径は、予想される適用に依存する寸法分布範囲を有してもよい。
【００１７】
マイクロカプセル２２の壁３４の厚さおよび脆弱性は、通常時に遭遇する圧縮力または伸張力下における過早破裂を排除しながら、剥離層１８の除去時に意図的に割れさせることを機能的に可能にするように選択することができる。壁の厚さは、一般にマイクロカプセル２２の直径の拡大に応じて増大すること、およびマイクロカプセル２２の割れ強度は、一般に壁の厚さの増大に応じて増大するであろうことが認識され得る。マイクロカプセル２２は、一般に、球状形状とすることができるが、他の外形も利用可能である。マイクロカプセルの壁３４は、例えば、熱可塑性樹脂、熱硬化性樹脂、水和金属酸化物、シリカ、ホウケイ酸塩、ケイ酸塩型ゾルゲル前駆物質、炭素、または尿素ホルムアルデヒドもしくはフェノール樹脂などのポリマーから形成することができる。加えて、マイクロカプセル２２の壁３４またはマイクロカプセルシェルの一部は、硬化するとき、航空宇宙複合システムまたは他の期待された使用と一致する割れ強度を維持するように、ポリエーテルケトンケトン（ＰＥＫＫ）、ポリエーテルエーテルケトン（ＰＥＥＫ）、ポリアミド類、ポリエーテルスルホン（ＰＥＳ）、ポリイミド（ＰＩ）、ポリフェニレンサルファイド（ＰＰＳ）、ポリアリーレンエーテル、またはカルボキシル基末端アクリロニトリルブタジエン（ＣＴＢＮ）ゴムなど、樹脂２４のベースポリマーを付加的に強固にする材料から形成する、または部分的に形成することができる。
【００１８】
樹脂２４は、剥離層１８が複合構造体１２に対して硬化または部分的に硬化されたときに安定であり、マイクロカプセル２２内に封じ込められたいずれかの適当な液体エポキシまたは他の重合性材料とすることができる。樹脂２４は、いずれかの適当なモノマー、オリゴマー、またはこれらの組み合わせとすることができる。任意選択により、マイクロカプセル２２が割れるときに樹脂２４の流動を容易にする少量の溶媒を組み入れてもよい。樹脂２４は、複合構造体１２の作用面２０から剥離層１８を取り外すことが見込まれる使用条件下においてマイクロカプセル２２から流出することを可能にする粘性を有する材料とすることができる。樹脂２４は、一般的に、剥離層１８が使用されることが見込まれる作業温度において流動可能となる粘性および流動学的特徴を有してもよい。あるいは、樹脂２４は、硬化または部分的硬化工程の間において、温度を高くすることによって流動可能となる特徴を有してもよい。樹脂２４は、一般的な目的のために現在知られているまたは知られることになるであろう適当な技法によってマイクロカプセル２２内に閉じ込めることができる。
【００１９】
任意選択により、マイクロカプセル２２が破裂するまたは割れるときに樹脂２４の流動を容易にするのに効果的な量の溶媒を樹脂２４と共に（例えば物理的に混合して）マイクロカプセル２２内に含有させることもできる。溶媒は、使用されるとき、一般的に、樹脂２４が使用されることを見込んだまたは設計した温度において液体または流動可能な材料であるように選択される。溶媒は、使用されるとき、樹脂に対して化学的に不活性であると好ましい。さらに、溶媒は、溶媒が接合システムの質に影響しないように選択することができる。
【００２０】
任意選択により、重合剤をマイクロカプセル２２の外面３６に付着させることができる。重合剤は、マイクロカプセル２２が剥離層１８の取り外しによって破裂したときなど、樹脂２４が重合剤と接触したときに、マイクロカプセル２２内に封入された特定の樹脂２４または他の重合性材料の重合を誘発または促進することになる材料とすることができる。マイクロカプセル２２の外面３６は、マイクロカプセル２２自体のありのままの表面であってもよいし、または、その代わりに、マイクロカプセル２２の表面に一体的に付着させることができる薄膜被覆または複数の被覆の表面であってもよい。あるいは、重合剤は、剥離層１８を取り外したときにやはり破裂し、接合材料の樹脂２４と混合する、別個の複数のマイクロカプセル内に閉じ込めることもできる。
【００２１】
概して、剥離層１８は、例えば、積層、射出成形、押し出し成形、押し出し被覆、膜吹き込み成形、カレンダ成形、シート熱成形、吹き込み成形、基板上への被覆、回転成形、鋳造、圧縮成形、および移送成形を含む、いずれかの技術によって所望の形状に成形することができる。マイクロカプセル２２は、硬化前のいずれか都合のよいときに剥離層１８内に埋め込むことができる。実際問題として、使用される場合、重合剤は、マイクロカプセル２２を剥離層１８に導入する前に、マイクロカプセル２２の表面に付着させることができる。例えば、マイクロカプセル２２は、樹脂媒体３２と織布３０との結合間に導入することができる。剥離層１８が、硬化前に、射出成形または押し出し成形など、外形と関連する高せん断力等を有する技術よって所望の外形に成形される場合、マイクロカプセル２２は、過早破裂することなく成形条件を許容するような設計とすることを注意すべきである。
【００２２】
図３および図６に示すように、複合構造体１２および剥離層１８を組み立てた後（図１および図２）、例えば、オートクレーブにおいて硬化させる、または部分的に硬化させることができる。剥離層１８を取り外したとき、マイクロカプセル２２が破裂し、大量の未硬化樹脂２４が二次構造体２６の接合のために複合構造体１２の作用面２０上に残存する。したがって、剥離層１８の取り外しのとき、複合構造体１２の作用面２０は、多樹脂作用面２８、または接合面として残され、二次構造体２６を接着剤の必要なく接合可能な、硬化面および未硬化面の組み合わせとなる。
【００２３】
図７に示すように、二次構造体２６は、未硬化の、すなわち固まっていない複合材料であってもよく、第２の複合構造体の作用面であってもよく、剥離層１８が取り外された第２の積層複合構造体１２の多樹脂作用面２８であってもよく、または接着剤の使用なく、未硬化および硬化の積層スタックアップシステムを使用して厚い構造体を積み上げるか、さもなければ組み立てることを可能にする複合材料の付加的な層であってもよい。ある適用において、二次構造体２６は、接着剤の必要なく、適切な接合を達成するために多樹脂複合層である必要があり得る。この方法は、最後の複合材に熱的変質を起こさせる可能性がある硬化の間の熱的発熱の制御および均衡を提供し、総硬化時間を短縮させることができる。
【００２４】
多樹脂作用面２８は、樹脂２４を化学的に混合し反応させて均質な界面を形成させることができる接合部３８において、複合構造体１２および二次構造体２６の作用面を互いに接合させることができる。均質な接合部３８に対してボイド検出のための標準透過超音波（ＴＴＵ）検査を行うことが可能である。ＴＴＵ検査は、現在のところ、２つの接合された層または基板間の疑似接触による層間剥離または弱い結合、すなわちキッシングボンド、を検知することはできない。多樹脂作用面２８は、乾いていない表面が接合硬化した構造体に対して、乾いていない、すなわち未硬化の表面を提供し、共硬化された複合材と同様の特徴を有することになるので、この欠陥は、開示された接合面によって克服することができる。
【００２５】
任意選択により、ヴェール４０を結合構造体４２（すなわち、組み合わされた複合構造体１２および二次構造体２６）に付加することができる。ヴェール４０は、複合構造体１２の多樹脂作用面２８と二次構造体２６の作用面４４との間に組み込まれ、接合部３８の一部となることができる。ヴェール４０は、含浸構造体１２、２６を補助的に強化するために使用することができる。ヴェール４０は、別個の基板であってもよいし、または二次構造体２６の一部、例えば、複合構造体１２の多樹脂作用面２８に接着または硬化された複合材料のプリプレグ層、であってもよい。
【００２６】
開示された接合面の種々の実装形態は、結合構造体４２を形成するように利用することができる。例として、単一の層または多層複合構造体１２と剥離層１８とを重ね合わせて硬化させることができる。二次構造体２６が複合構造体１２に付加されるとき、剥離層１８を作用面２０から取り外し、すなわち引き離し、複数のマイクロカプセル２２を割り、そして多樹脂作用面２８を形成することができる。その後、二次構造体２６を多樹脂作用面２８に接合することができ、任意選択により、複合構造体１２に対して硬化させて結合構造体４２を形成することができる。別の例として、それぞれが剥離層１８を有する２つの複合構造体１２を重ね合わせ、任意選択により硬化させることができる。各複合構造体１２の剥離層１８を取り外し、結合構造体４２を形成するように互いに接合される２つの対向する多樹脂作用面２８を作出することができる。さらに別の例として、それぞれが剥離層１８を有する２つの複合構造体１２を重ね合わせ、任意選択により硬化させることができる。各複合構造体１２の剥離層１８を取り外し、結合構造体４２を形成するように付加的な接着剤と共に互いに接合される２つの対向する多樹脂作用面２８を作出することができる。
【００２７】
開示された接合面の利点は、マイクロカプセル２２の破裂によって作出された多樹脂作用面２８の使用によって、接合部３８に沿って種々の非類似材料の二次構造体２６を接合する能力であり得る。
【００２８】
次に図８に示すように、概して５０で示された自己接合複合材は、構成要素材料から構成される複合構造体５２を含むことができる。複合構造体５２は、単一の層５４から形成することができ、または複数の層５４を積み重ねた集合体によって形成された積層体とすることができ、単一の層５４だけが例として示されている。各層５４は、樹脂媒体５８によってマトリックス内に埋め込まれた複数の強化繊維５６（または他の強化材料）を有する複合材料、例えばプリプレグ層、とすることができる。層５４は、樹脂媒体５８内に埋め込まれた複数のマイクロカプセル６０を含むことができる。マイクロカプセル６０は、樹脂６４または他の流動可能な接合材料を閉じ込めるために作製された固体壁６２を有する小体とすることができる。マイクロカプセル６０の壁６２の厚さおよび脆弱性は、通常時に遭遇する圧縮力もしくは伸張力下における、または複合構造体５２の最初の硬化の間における過早破裂を排除しながら、意図的に割れさせることを機能的に可能にするように選択することができる。
【００２９】
マイクロカプセル６０は、複合構造体５２の外面６８の直近に（すなわち、外面にまたは外面近くに）分散させて、外面６８の表面作製時に意図的に割れるように準備することができる。例えば、通常の剥離層は、外面６８に対して硬化させることができ、取り外し時に外面６８を割り、埋め込まれたマイクロカプセル６０を破裂させて、二次構造体が接合され得る多樹脂作用面を形成することができる。剥離層は、研磨またはグリットブラスティングの必要性を排除することができ、取り外したときに作用面２０上に残留繊維をほとんどまたはまったく残さないようにすることができる。別の例として、複合構造体５２の外面６８は、レーザ、ＣＯ２ブラスティング、またはエッチング処理の使用によって作製して、外面６８を割り、マイクロカプセル６０を破裂させることができる。
【００３０】
次に図９に示すように、概して７０で示された自己接合複合材は、構成要素材料から構成されるポリマー構造体７２を含むことができる。ポリマー構造体７２は、ポリマー構造体７２の外面７６内に埋め込まれると共に外面７６の直近に分散された複数のマイクロカプセル７４を含み、表面作製時に意図的に割れさせるように準備することができる。マイクロカプセル７４は、樹脂７８、または重合性接合材料などの他の流動可能な接合材料を閉じ込めるために作製された固体壁７８を有する小体とすることができる。選択された表面処理時に、ポリマー構造体７２の外面７６を割ることができ、これにより、マイクロカプセル７４を破裂させ、樹脂７８を放出させて、付加的な接着剤があってもなくても、別の構造体を接合可能な多樹脂作用面を形成することができる。
【００３１】
したがって、開示された接合面は、選択された表面作製時に、種々の材料の二次構造体を接合可能な硬化および未硬化作用面を形成する、埋め込まれた複数の樹脂充填マイクロカプセルを意図的に割ることができる複合構造体またはポリマー構造体を準備することができる。
【００３２】
本開示は、以下の項に従う実施形態を備える。
［項１］
少なくとも１つの層を備え、外面を有する複合構造体と、
前記外面に対して硬化された剥離層と、
それぞれが接合材料を充填された複数のマイクロカプセルと、
を備える、複合材接合システム。
［項２］
前記複数のマイクロカプセルは、前記外面から前記剥離層を取り外したときに前記複数のマイクロカプセルのうちの少なくとも一部が割れ、前記接合材料を放出して、接合のための未硬化表面を形成するように構成された、
項１に記載の複合材接合システム。
［項３］
前記接合材料は樹脂である、項１に記載の複合材接合システム。
［項４］
前記複数のマイクロカプセルは、前記外面と前記剥離層間の界面近傍に配されている、項１に記載の複合材接合システム。
［項５］
前記複数のマイクロカプセルは、前記剥離層内に分散されている、項１に記載の複合材接合システム。
［項６］
前記複数のマイクロカプセルのそれぞれは、前記接合材料を閉じ込める外壁を備える、項１に記載の複合材接合システム。
［項７］
前記複数のマイクロカプセルは重合剤をさらに備える、項６に記載の複合材接合システム。
［項８］
前記複数のマイクロカプセルの前記外壁は、前記接合材料を強化する材料をさらに備える、項６に記載の複合材接合システム。
［項９］
前記接合材料は流動可能な重合性樹脂を備える、項１に記載の複合材接合システム。
［項１０］
二次構造体は、前記未硬化表面に対して共硬化される、項２に記載の複合材接合システム。
［項１１］
前記未硬化表面は接着剤の層をさらに備える、項１０に記載の複合材接合システム。
［項１２］
マトリックスに埋め込まれた複数の強化繊維を有する少なくとも１つの層を備え、外面を有する複合構造体と、
前記外面に近接した前記複合構造体によって支持された複数のマイクロカプセルであり、前記複数のマイクロカプセルの各マイクロカプセルが接合材料を充填されている、複数のマイクロカプセルと、
を備える、複合材接合システム。
［項１３］
前記接合材料は樹脂を備える、項１２に記載の複合材接合システム。
［項１４］
前記外面を作製するとき、前記複数のマイクロカプセルのうちの少なくとも一部が割れ、前記接合材料を放出して、接合用の未硬化表面を形成する、項１２に記載の複合材接合システム。
［項１５］
前記外面に対して共硬化された剥離層をさらに備える、項１２に記載の複合材接合システム。
［項１６］
前記複数のマイクロカプセルの各マイクロカプセルが、前記樹脂を閉じ込めている外壁を備える、項１３に記載の複合材接合システム。
［項１７］
前記複数のマイクロカプセルの前記外壁は、前記樹脂を強化する材料をさらに備える、項１６に記載の複合材接合システム。
［項１８］
前記樹脂は流動可能な重合性材料を備える、項１３に記載の複合材接合システム。
［項１９］
接合面を形成する方法であって、
少なくとも１つの層と剥離層とを備える複合構造体を組み立てるステップであり、前記剥離層が、それぞれが樹脂を充填された複数のマイクロカプセルを備える、ステップと、
前記複合構造体を硬化するステップと、
前記複合構造体から前記剥離層を取り外し、前記複数のマイクロカプセルのうちの少なくとも一部を割り、前記樹脂を放出して、接合用の未硬化表面を形成するステップと
を備える方法。
［項２０］
前記未硬化表面に二次構造体を結合するステップと、
前記複合構造体および前記二次構造体を共に硬化させて結合構造体を形成するステップと
をさらに備える、項１８に記載の方法。
【００３３】
開示された複合材接合のシステムおよび方法の種々の態様が示され説明されているが、本明細書を読めば当業者には変更が想起されよう。本出願はこのような変更を含み、特許請求の範囲のみによって限定される。
【符号の説明】
【００３４】
１０  自己接合複合材
１２  複合構造体
１４  層
１４Ａ  第１の層
１４Ｂ  第２の層
１４Ｃ  第３の層
１４Ｄ  第４の層
１６  強化繊維
１８  剥離層
２０  作用面
２２  マイクロカプセル
２４  樹脂
２６  二次構造体
２８  多樹脂作用面
３０  織布
３２  樹脂媒体
３４  固体壁
３６  外面
３８  接合部
４０  ヴェール
４２  結合構造体
４４  作用面
５０  自己接合複合材
５２  複合構造体
５４  層
５６  強化繊維
５８  樹脂媒体
６０  マイクロカプセル
６２  固体壁
６４  樹脂
６８  外面
７０  自己接合ポリマー
７２  ポリマー構造体
７４  マイクロカプセル
７６  外面
７８  固体壁、樹脂
【図１】
2014100913.tif 000003
【図２】
2014100913.tif 000004
【図３】
2014100913.tif 000005
【図４】
2014100913.tif 000006
【図５】
2014100913.tif 000007
【図６】
2014100913.tif 000008
【図７】
2014100913.tif 000009
【図８】
2014100913.tif 000010
【図９】
2014100913.tif 000011
【外国語明細書】
2014100913000001.pdf
2014100913000002.pdf
2014100913000003.pdf
2014100913000004.pdf